(57)【要約】【課題】たとえば筐体内部に主制御基板を取り付けた状態の遊技機の搬送中等に、前扉が不正に開けられたことを容易に確認でき、併せて検査済みのＲＯＭが裏ＲＯＭ又は不正ＲＯＭと呼ばれるものに不正に差し替えられたり、不正な制御基板が収容された基板ケースが現在使用されている基板ケースと差し替えられたりしたことを容易に確認することができるようにする。【解決手段】前扉３側に前扉側係合部を有する前扉側係合ブロック５０を取り付け、筐体２側に筐体側係合部を有する筐体側係合ブロックを取り付け、前扉３の閉じる動作に応じて前扉側係合部と筐体側係合部とが係合され、その係合の確認と解除は筐体２側の穴２ｃを介して行われるようにし、前扉３が不正に開放された場合は、筐体側係合部の連結部の切断が不正開放の痕跡として残されるようにした。【選択図】図１
2008167909.tif 000002
【特許請求の範囲】
【請求項１】
前面側に開口を有する中空箱形の筐体と、
該筐体に開閉可能に取り付けられ前記開口を覆う前扉と、
該前扉の不正開放を防止するための不正開放防止装置と
を有する遊技機であって、
前記不正開放防止装置は、
前記前扉又は前記筐体の一方に取り付けられる第１係合手段と、
前記前扉又は前記筐体の他方に取り付けられ前記第１係合手段と係合される第２係合手段と、
前記前扉又は前記筐体のいずれかに形成され前記第１係合手段と前記第２係合手段との係合の確認と前記係合の解除とを行う穴と
から構成され、
前記前扉の閉じる動作に応じて前記第１係合手段と前記第２係合手段とが係合され、前記係合を解除する際は前記第１係合手段又は前記第２係合手段のいずれか一方が前記穴を介して切断される
ことを特徴とする遊技機。
【請求項２】
前記第１係合手段又は前記第２係合手段には、前記係合を解除するための切離部が設けられていることを特徴とする請求項１に記載の遊技機。
【請求項３】
前記第１係合手段と前記第２係合手段との間には、前記係合を可能とする第１面と、前記係合を可能としない第２面とを有する係合手段が介在され、
前記係合手段の第１面又は第２面の向きを変えることで、前記第１係合手段と前記第２係合手段との係合又は非係合とが選択される
ことを特徴とする請求項１又は２に記載の遊技機。
【請求項４】
前記第１係合手段には、少なくとも凹状に形成された係合凹部が設けられ、
前記第２係合手段には、少なくとも前記係合手段を挿入する挿入部が設けられ、
前記係合手段の第１面には、少なくとも外方に突出し前記係合凹部に係合される係合爪部が設けられ、
前記第１係合手段と前記第２係合手段とを係合させる際、前記係合手段の第１面が前記係合凹部に対向するように該係合手段が前記挿入部に挿入される
ことを特徴とする請求項３に記載の遊技機。
【請求項５】
前記第１係合手段と前記第２係合手段は、それぞれ複数組のブロック体とされていることを特徴とする請求項１〜４のいずれかに記載の遊技機。
【発明の詳細な説明】
【技術分野】
【０００１】
本発明は、不正行為の防止に適した遊技機に係り、特に、遊技機の筐体の開口を閉塞する前扉の不正開放を防止するようにした遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。  
【０００３】
また、スロットマシンでは、メダル（又はコインとも呼ばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このようなスロットマシンでは、ゲームの演出に係る制御を主に行う副制御基板と、リールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板による制御が指示されるようになっている。
【０００７】
ところで、主制御基板に搭載されている上述した特にＲＯＭは、定期的な検査等のために基板上のコネクタに着脱自在となるように装着されている。また、上述した各電子素子等は、筐体の外部から内部に挿入されるセルや針金等の不正行為治具によって不正に弄られないように、本体ケースと上蓋ケースとの間に挟持されたユニット構成とされている。また、その上蓋ケースは、ホールスタッフ等により主制御基板上の各電子素子等の状態が確認し易いように透明なプラスチックで形成されている。さらに、その上蓋ケースは、法規制により検査済みシールが貼着されて封印されているとともに、本体ケースと上蓋ケースとがカシメ状態で結合する接続部材を介してカシメ結合され、上蓋ケースが開けられないようになっている。
【０００８】
また、主制御基板は、通常、筐体内部を正面から見たとき、所定数の図柄が付された３個のリールを有する回胴装置の上方に位置するように筐体内面に取り付けられている。これは、スロットマシンの構成上、筐体内部のほぼ中央寄りにその回胴装置が配置され、回胴装置の下方にメダルの払い出し等を行うホッパ装置や電源を供給する電源装置等が配置されるようになっており、主制御基板の状態を前扉を開けて確認し易い位置が回胴装置の上方となるためである。
【０００９】
また、主制御基板を、回胴装置の上方に位置するように筐体内面に取り付けることで、前扉側から見てその位置が最も遠くなり、しかも主制御基板が本体ケースと上蓋ケースとの間に挟持されたユニット構成とされていることで、筐体の外部から内部に挿入されるセルや針金等の不正行為治具によって主制御基板上の各種電子素子等が不正に弄られないような対策もとることができるようになっている。
【００１０】
ところで、このようなスロットマシンは、前扉が筐体の開口を閉塞する位置で、施錠装置によりロックされ、ホールスタッフ等が主制御基板上の各電子素子等の状態の確認を含むメンテナンス作業や出玉管理作業等を行う場合、前扉の鍵穴に専用鍵を差し込んでそのロックを解除すると、前扉が開放されるようになっている。
【００１１】
すなわち、前扉は施錠装置により筐体の開口を閉塞する位置でロックされているのみである。そのため、たとえば筐体内部に上述した主制御基板を取り付けた状態のスロットマシンをたとえばホール等に搬送するとき、前扉が不正に開けられ、たとえば主制御基板上のＲＯＭが不正にプログラムの内容が書き換えられた、いわゆる裏ＲＯＭ又は不正ＲＯＭと呼ばれるものに差し替えられてしまうことがある。さらに、不正な制御基板が収容された基板ケースが現在使用されている基板ケースと差し替えられてしまうことがある。
【００１２】
これは、主制御基板を挟持している本体ケースと上蓋ケースとがカシメ状態で結合する接続部材を介してカシメ結合され、上蓋ケースが開けられないようになっているにも関わらず、上蓋ケースはホールスタッフ等により主制御基板上の各電子素子等の状態が確認し易いように透明なプラスチックで形成されており、半田ごて等の熱によって穴が開けられてしまうためである。
【００１３】
なお、上蓋ケースに開けられた穴から検査済みのＲＯＭが裏ＲＯＭ又は不正ＲＯＭと呼ばれるものに差し替えられた場合、その開けられた穴を確認することで、裏ＲＯＭ又は不正ＲＯＭと呼ばれるものに差し替えられたことを確認できるが、その穴は不正に作成された偽造シールで覆うような偽装が施されていることがある。このような偽造シールで覆うような偽装が施されていると、スロットマシンの内部構成に詳しいホールスタッフ等が確認すればその偽装にすぐに気づくことができるが、スロットマシンの内部構成に詳しくないホールスタッフ等が確認した場合、その偽装に気づかずにいることがある。
【００１４】
このようにして、検査済みのＲＯＭが裏ＲＯＭ又は不正ＲＯＭと呼ばれるものに不正に差し替えられてしまうと、たとえば上述した特別遊技状態（ボーナスゲーム等）が半ば強制的に発生させられてしまい、不正にコインの払い出しが行われてしまうということを招いてしまう。
【００１５】
ここで、遊技機の施錠装置として、たとえば特許文献１に示されているような遊技機用施錠装置がある。これは、前扉の中央付近に設けられたロック手段と、前扉若しくは本体ケースの他辺の上下に配置されロック手段により本体ケースに前扉を閉めた際に接地するストッパ部材とから構成し、ロック手段は、本体ケースに固設されたストライカと、前扉と本体ケースとを閉じる際にストライカと係合し施錠を行うラッチと、正面にキー溝を配したキーシリンダーと、キーシリンダーの一方の回動に伴い連動しラッチとストライカとの係合を解除するポールと、ラッチ及びポールを被覆するケースとから構成し、スロットマシンの不正行為、すなわち、キーシリンダー以外の外部からの強制的な開放や鉤部材への直接的な不正操作を極力防止するようにしたものである。
【００１６】
【特許文献１】特開２００２−２００２１８号公報
【発明の開示】
【発明が解決しようとする課題】
【００１７】
上述した特許文献１によれば、外部から前扉の上方を強引に開けようとしても外力がかかる反対側（下方）のストッパ部材が本体ケース若しくは前扉に対し接地し外力に対抗する方向へ反力を前扉若しくは本体ケースに作用するようにしているので、前扉と本体ケースとの間に隙間ができ難い構造となって不正行為ができないようになっている。
【００１８】
また、ストライカと係合するラッチや、ラッチと係合するポールをケース内に収めているので、直接的に外部から施錠を行っているラッチを操作することが困難となり不正に解錠させられることができないようになっている。
【００１９】
ところが、このような構造にもかかわらず、たとえば専用鍵が不正に取得されて、施錠装置のロックが解除され、本体ケースを閉塞している前扉が不正に開けられ、主制御基板上の検査済みのＲＯＭが裏ＲＯＭ又は不正ＲＯＭと呼ばれるものに不正に差し替えられたり、不正な制御基板が収容された基板ケースが現在使用されている基板ケースと差し替えられたりしてしまっても、前扉を閉じてしまうと、その前扉が不正に開けられたことを示す痕跡が残らないことになる。
【００２０】
そのため、上述したように、たとえば筐体内部に上述した主制御基板を取り付けた状態のスロットマシンをたとえばホール等に搬送するとき、前扉が不正に開けられ、たとえば主制御基板上のＲＯＭが不正にプログラムの内容が書き換えられた、いわゆる裏ＲＯＭ又は不正ＲＯＭと呼ばれるものに差し替えられてしまう等の不正行為に気づかずにいる場合があるという問題があった。
【００２１】
本発明は、このような状況に鑑みてなされたものであり、たとえば筐体内部に主制御基板を取り付けた状態の遊技機の搬送中等に、前扉が不正に開けられたことを容易に確認することができ、併せて検査済みのＲＯＭが裏ＲＯＭ又は不正ＲＯＭと呼ばれるものに不正に差し替えられたり、不正な制御基板が収容された基板ケースが現在使用されている基板ケースと差し替えられたりしたことを容易に確認することができる遊技機を提供することを目的とする。
【課題を解決するための手段】
【００２２】
本発明の遊技機は、前面側に開口を有する中空箱形の筐体と、該筐体に開閉可能に取り付けられ前記開口を覆う前扉と、該前扉の不正開放を防止するための不正開放防止装置とを有する遊技機であって、前記不正開放防止装置は、前記前扉又は前記筐体の一方に取り付けられる第１係合手段と、前記前扉又は前記筐体の他方に取り付けられ前記第１係合手段と係合される第２係合手段と、前記前扉又は前記筐体のいずれかに形成され前記第１係合手段と前記第２係合手段との係合の確認と前記係合の解除とを行う穴とから構成され、前記前扉の閉じる動作に応じて前記第１係合手段と前記第２係合手段とが係合され、前記係合を解除する際は前記第１係合手段又は前記第２係合手段のいずれか一方が前記穴を介して切断されることを特徴とする。
【００２３】
また、前記第１係合手段又は前記第２係合手段には、前記係合を解除するための切離部が設けられているようにしてもよい。
【００２４】
また、前記第１係合手段と前記第２係合手段との間には、前記係合を可能とする第１面と、前記係合を可能としない第２面とを有する係合手段が介在され、前記係合手段の第１面又は第２面の向きを変えることで、前記第１係合手段と前記第２係合手段との係合又は非係合とが選択されるようにしてもよい。
【００２５】
また、前記第１係合手段には、少なくとも凹状に形成された係合凹部が設けられ、前記第２係合手段には、少なくとも前記係合手段を挿入する挿入部が設けられ、前記係合手段の第１面には、少なくとも外方に突出し前記係合凹部に係合される係合爪部が設けられ、前記第１係合手段と前記第２係合手段とを係合させる際、前記係合手段の第１面が前記係合凹部に対向するように該係合手段が前記挿入部に挿入されるようにしてもよい。
【００２６】
また、前記第１係合手段と前記第２係合手段は、それぞれ複数組のブロック体とされているようにしてもよい。
【００２７】
本発明の遊技機では、前扉又は筐体の一方に取り付けられる第１係合手段と、前扉又は筐体の他方に取り付けられ第１係合手段と係合される第２係合手段とを有し、前扉の閉じる動作に応じて第１係合手段と第２係合手段とが係合され、その係合の確認と解除は前扉側又は筐体側に形成された穴を介して行われる。この場合、第１係合手段又は第２係合手段のいずれか一方が前扉又は筐体のいずれかに形成された穴を介して切断されることで、前扉の開放が可能となるが、その前扉が不正に開放された場合は、その切断が不正開放の痕跡として残される。
【発明の効果】
【００２８】
本発明の遊技機によれば、第１係合手段又は第２係合手段のいずれか一方が前扉又は筐体のいずれかに形成された穴を介して切断されることで、前扉の開放が可能となるが、その前扉が不正に開放された場合は、その切断が不正開放の痕跡として残されるようにしたので、たとえば筐体内部に主制御基板を取り付けた状態の遊技機の搬送中等に、前扉が不正に開けられたことをその痕跡から容易に確認することができ、併せて検査済みのＲＯＭが裏ＲＯＭ又は不正ＲＯＭと呼ばれるものに不正に差し替えられたり、不正な制御基板が収容された基板ケースが現在使用されている基板ケースと差し替えられたりしたことを容易に確認することができる。
【発明を実施するための最良の形態】
【００２９】
本実施形態では、前扉側に第１係合手段としてのたとえば前扉側係合部を取り付け、筐体側に第２係合手段としてのたとえば筐体側係合部を取り付け、前扉の閉じる動作に応じて前扉側係合部と筐体側係合部とが係合され、その係合の確認と解除はたとえば筐体側に形成された穴を介して行われるようにした。
【００３０】
この場合、たとえば筐体側係合部がたとえば筐体側に形成された穴を介して切断されることで、前扉の開放が可能となるが、その前扉が不正に開放された場合は、たとえば筐体側係合部の切断が不正開放の痕跡として残される。これにより、たとえば筐体内部に主制御基板を取り付けた状態の遊技機の搬送中等に、前扉が不正に開けられたことをその痕跡から容易に確認することができ、併せて検査済みのＲＯＭが裏ＲＯＭ又は不正ＲＯＭと呼ばれるものに不正に差し替えられたり、不正な制御基板が収容された基板ケースが現在使用されている基板ケースと差し替えられたりしたことを容易に確認することができる。
【実施例】
【００３１】
以下、本発明の実施例の詳細について説明する。図１は本発明の遊技機である回胴式遊技装置を示す斜視図、図２は図１の回胴式遊技装置を示す平面図、図３は図２の回胴式遊技装置の前扉及び筐体の一部を省いた場合の側面図、図４は図３の回胴式遊技装置を示す正面図である。
【００３２】
これらの図に示すように、回胴式遊技装置であるスロットマシン１は、遊技者側に面する、いわゆるフロントマスクを構成する前扉３が略矩形状の箱体である筐体２の開口側に対し蝶番機構２ａにより開閉可能に取り付けられている。前扉３は、上パネル部３Ａと下パネル部３Ｂとに概ね分けられ、これらは化粧板として視覚効果を高めてデザインされた硬質プラスチックにより一体的に形成されている。
【００３３】
前扉３は、図示しない施錠装置によって筐体２側にロックされており、ホールスタッフ等が後述の主制御基板４１上の検査済みのＲＯＭを含む各電子素子等の状態の確認を含むメンテナンス作業や出玉管理作業等を行う場合、前扉３の鍵穴に専用鍵を差し込んでロックを解除すると、図１及び図２のように前扉３が開放されるようになっている。
【００３４】
また、たとえば筐体２内部に後述の主制御基板４１を取り付けた状態のスロットマシン１をたとえばホール等に搬送するとき、前扉３が図示しない施錠装置によって筐体２側にロックされているとともに、後述の不正開放防止装置５０Ａによって前扉３が筐体２側に結合されているが、その不正開放防止装置５０Ａの詳細については順を追って説明する。
【００３５】
上パネル部３Ａと下パネル部３Ｂとの間には、図１及び図２に示すように、遊技者側に若干突出し、ゲームに使用するメダルを投入するための投入口を有するメダル投入部１３や、ゲーム操作を行うためのスイッチ類等である、ベットボタン１４、スタートレバー１５及びストップボタン１６ａ，１６ｂ，１６ｃ等が配置された操作卓４が一体的に設けられている。また、前扉３の下部には、メダルを貯留するための受皿部を形成する受皿ユニット５が設けられている。
【００３６】
前扉３の上パネル部３Ａには、図１及び図２に示すように、高輝度発光ダイオードを内蔵した上部ランプ６及びサイドランプ７ａ，７ｂが配置され、リーチや大当たり等の際に点灯又は点滅して遊技者の視覚に訴える演出を行っている。また、上パネル部３Ａには、左右にスピーカを内蔵した図示しない演出用放音部が設けられ、これらの演出用放音部によりゲームの進行に応じて選択される効果音や楽音等による演出が行われる。
【００３７】
上パネル部３Ａの中央には、略長方形の透明な表示窓１１ａと、遊技状態等をランプ表示する情報表示部とが形成されたパネル板１１が取り付けられている。そして、図１に示すように、筐体２内に設けられている回胴装置１１０の３個の円筒状のリール１１１ａ，１１１ｂ，１１１ｃが表示窓１１ａを通して目視されるように構成されている。
【００３８】
前扉３に形成された下パネル部３Ｂには、スロットマシン１のモデルタイプ等を遊技者へ認識させるため、たとえば登場キャラクターの絵等を表示するパネル１７が設けられている。
【００３９】
受皿ユニット５には、入賞時等においてメダルを排出する図示しないメダル排出口と、スピーカを内蔵しゲームの進行に応じて演出効果音を発生させる図示しない演出効果音部がそれぞれ配設されている。
【００４０】
また、前扉３の裏面上部には、上述した上部ランプ６の光源である複数の高輝度発光ダイオード２０と、上部ランプ６及び図示しないスピーカの制御等、ゲームの演出に係る制御を主に行う図示しない副制御基板とが配設されている。
【００４１】
また、前扉３の裏面の左上部には、前扉側係合ブロック５０が取り付けられている。この前扉側係合ブロック５０は、後述の筐体側係合ブロック６０とともに、不正開放防止装置５０Ａを構成している。
【００４２】
なお、スロットマシン１全体の動作は、筐体２内部における回胴装置１１０の背面側に設けられている後述の主制御基板４１によって統括制御されている。
【００４３】
また、パネル板１１の下方には、上述した操作卓４に設けられているベットボタン１４、スタートレバー１５、ストップボタン１６ａ，１６ｂ，１６ｃ等のスイッチ類が電気的に接続され、これらスイッチ類の出力信号を後述の主制御基板４１に転送するように配線接続されている図示しない中央表示基板と呼ばれる電気回路（中継）基板が設けられている。
【００４４】
また、その図示しない中央表示基板の下方には、上述のメダル投入部１３より投入される投入物を正規のメダルか異物かを判別して振り分ける図示しないセレクト機構と、その振り分けられたメダルを筐体２内に設けられている後述のホッパ装置３０へ案内する図示しないガイド部材と、セレクト機構で振り分けられた異物を図示しない排出口へ案内する図示しないガイド部材とが設けられている。また、その排出口の両側には、演出効果音を出力する図示しないスピーカ等が取り付けられている。
【００４５】
一方、筐体２内の下段にはホッパ装置３０及び主電源装置３２等が設けられており、筐体２内の上段には上述した回胴装置１１０が設けられている。ここで、ホッパ装置３０は、ゲームの入賞に応じてメダルの払い出しを行うものであり、その払い出しされたメダルは上述した受皿ユニット５に貯留されるようになっている。また、ホッパ装置３０から溢れたメダルは、補助貯留部３１に収容されるようになっている。
【００４６】
回胴装置１１０は、図１、図３、図４に示すように、リール１１１ａ，１１１ｂ，１１１ｃと、これらのリール１１１ａ，１１１ｂ，１１１ｃを回転可能に取り付ける板状のユニット板１１２，１１３，１１４と、これらのユニット板１１２，１１３，１１４をボルト１１４ａを介して取り付ける基板１１５と、これらのユニット板１１２，１１３，１１４をボルト１１４ｂを介して取り付ける天板１１５ａとを備えて構成されている。
【００４７】
なお、これらのユニット板１１２，１１３，１１４、基板１１５及び天板１１５ａはいずれも硬質プラスチックで一体形成されたものである。また、基板１１５は、把持レバー１３０を持つことで、台座１２０に対し引き出し及び押し戻し自在に載置されるようになっている。
【００４８】
また、筐体２の内部の回胴装置１１０の背面側には、主制御基板４１を組み込んだ主制御基板ユニット４０がブラケット部材４２を介して取り付けられている。ここで、主制御基板４１の各電子素子等の状態を確認する場合は、把持レバー１３０を持って基板１１５を引き出すと、回胴装置１１０が主制御基板４１の確認を妨げない位置まで移動されるようになっている。
【００４９】
また、筐体２内部の右上部には、筐体側係合ブロック６０が取り付けられている。この筐体側係合ブロック６０は、上述した前扉側係合ブロック５０とともに、不正開放防止装置５０Ａを構成している。また、筐体２の上板２ｂには、不正開放防止装置５０Ａの後述の前扉側係合部５２と後述の筐体側係合部６２との係合状態を確認したり、係合状態にある前扉側係合部５２と筐体側係合部６２との係合を切り離すための穴２ｃが形成されている。なお、この穴２ｃは、装着自在な蓋体によって閉塞されるようにしてもよい。また、この穴２ｃは、筐体２側に限らず、前扉３側に形成されているようにしてもよい。
【００５０】
図５〜図８は、不正開放防止装置５０Ａの詳細について説明するための図である。ここで、図５は不正開放防止装置５０Ａを示す斜視図、図６は図５の不正開放防止装置５０Ａの前扉側係合ブロック５０を示す図、図７は図５の不正開放防止装置５０Ａの筐体側係合ブロック６０を示す図、図８は図５の不正開放防止装置５０Ａのストッパ部材を示す斜視図である。
【００５１】
まず、不正開放防止装置５０Ａは、図５に示すように、ねじ穴５１ａを有する取付片５１に一体に形成された４つの前扉側係合部５２を有する前扉側係合ブロック５０と、ねじ穴６１ａを有する取付片６１に連結部６３を介して連結された４つの筐体側係合部６２を有する筐体側係合ブロック６０と、各筐体側係合部６２に挿入されて、前扉側係合ブロック５０と筐体側係合ブロック６０との係合保持を可能とする４つのストッパ部材７０とを有している。なお、図中符号６２ｄは、フランジ部を示している。
【００５２】
なお、ここでは、前扉側係合部５２、筐体側係合部６２及びストッパ部材７０をそれぞれ４つとした場合としているが、それぞれ１つ、又は２つ又は３つであってもよい。すなわち、たとえば１つの前扉側係合部５２と筐体側係合部６２とがストッパ部材７０によって係合されていて、その係合を解除するとき、筐体側係合部６２の連結部６３を切り離すことになる。そのため、前扉側係合部５２、筐体側係合部６２及びストッパ部材７０をそれぞれ４つとした場合は、前扉側係合部５２と筐体側係合部６２との係合及び係合解除を４回行うことができる。
【００５３】
また、前扉側係合部５２と筐体側係合部６２との係合は、後述のようにストッパ部材７０の向きを変えておき、前扉３を筐体２側に閉じると、前扉側係合部５２に筐体側係合部６２が嵌り込み、その向きの変えられているストッパ部材７０の作用によって前扉側係合部５２と筐体側係合部６２とが一体に結ばれる。
【００５４】
また、上述した筐体２の上板２ｂに形成されている穴２ｃからニッパー等の切断具を差し込み、筐体側係合部６２の連結部６３を切り離すことで、前扉側係合部５２と筐体側係合部６２との係合が解除されるようになっている。このことは、言い換えれば、筐体側係合部６２の連結部６３を切り離さない限り、前扉側係合部５２と筐体側係合部６２との係合が解除されないため、たとえば筐体２内部に上述した主制御基板４１を取り付けた状態のスロットマシン１をたとえばホール等に搬送するとき、前扉３が不正に開けられた場合、筐体側係合部６２の連結部６３が切り離されたことが痕跡として残るため、筐体２の上板２ｂの穴２ｃからその痕跡を確認することで、前扉３が不正に開けられたことを容易に確認できることになる。
【００５５】
また、前扉３が不正に開けられたことを確認することで、上述した主制御基板４１上の検査済みのＲＯＭが裏ＲＯＭ又は不正ＲＯＭと呼ばれるものに不正に差し替えられたり、不正な制御基板が収容された基板ケースである主制御基板ユニット４０が現在使用されている主制御基板ユニット４０と差し替えられたりしたことを併せて容易に確認することができる。
【００５６】
なお、本実施例では、前扉３側に前扉側係合部５２を有する前扉側係合ブロック５０を取り付け、筐体２側に筐体側係合部６２を有する筐体側係合ブロック６０を取り付けた場合としているが、前扉３側に筐体側係合部６２を有する筐体側係合ブロック６０を取り付け、筐体２側に前扉側係合部５２を有する前扉側係合ブロック５０を取り付けるようにしてもよいことは勿論である。
【００５７】
前扉側係合ブロック５０の前扉側係合部５２には、図６に示すように、前扉３が筐体２の開口を覆うように閉じられたとき、図５の筐体側係合部６２に覆われる係合底部５２ａと、この係合底部５２ａの上下方向縁部及び左方向縁部から前方に延び、筐体側係合部６２の開口部の周りを外側から覆う係合壁部５２ｂとが設けられている。また、係合底部５２ａの略中央部には凹状の第１係合凹部５２ｃと凹状の第１爪待避凹部５２ｆが左右方向に並んで形成されている。
【００５８】
また、第１係合凹部５２ｃ及び第２爪待避凹部５２ｆを挟むように、２つの第２係合凹部５２ｄ及び第２爪待避凹部５２ｈの組がそれぞれ左右方向に延びて形成されている。また、係合壁部５２ｂの右方先端部には、右方に開口し、筐体側係合部６２を抑える係合保持部５２ｅが形成されている。なお、図中符号５２ｋ及び５２ｍは、それぞれ傾斜面を示している。また、図中符号５２ｇは前扉側番号表示部を示している。この前扉側番号表示部５２ｇは、何番目の前扉側係合部５２が筐体側係合部６２と係合できる状態（以下、ロック状態という）にあるかを確認するためのものである。
【００５９】
一方、筐体側係合ブロック６０の筐体側係合部６２は、図７に示すように、前扉側係合部５２の係合底部５２ａに対向する側が開口し、内部がストッパ挿入空間６２ａとされた矩形箱状とされている。また、上述した各筐体側係合部６２を取付片５１に連結している連結部６３はそれぞれの筐体側係合部６２に２個設けられた構成となっており、これらの２個の連結部６３は切断可能となっている。
【００６０】
また、上下方向両側部には外方に突出して上述の係合保持部５２ｅと嵌合する係合突起部６２ｂが左右方向に延びて形成されている。この係合突起部６２ｂの右端には、後方に折曲して延びるカバー部６２ｅが形成されている。さらに、左側側面と上下の側面から外方にフランジ状に突出するフランジ部６２ｄが形成されている。このフランジ部６２ｄは薄い板状に形成されている。なお、図中６２ｂは係合突起部であり、６２ｃは筐体側番号表示部である。この筐体側番号表示部６２ｃは、何番目の筐体側係合部６２が前扉側係合部５２と係合できる状態（ロック状態）にあるかを確認するためのものである。
【００６１】
ストッパ部材７０は、樹脂等からなり矩形箱状に形成されており、図８に示すように、矩形箱状の外側部材８０と矩形箱状の内側部材９０とが組み合わされて構成されている。外側部材８０は、一方の面が開口した箱状に形成されている。そして、この開口部と対向する底面８１（第１面）には、第１係合爪部８３が形成されている。この第１係合爪部８３は、底面８１から外方に突出するように形成されており、この第１係合爪部８３を挟むように、底面８１を貫通する切り込み部８２が形成されている。
【００６２】
第１係合爪部８３は、切り込み部８２に沿って、底面８１から外側になだらかに傾斜する傾斜面８３ａを有し、先端側は、底面８１に対して略垂直な係合面８３ｂを有している。また、この底面８１には、第１係合爪部８３を挟むように外方に突出し、第１係合爪部８３と同様の形状を有した第２係合爪部８４が形成されている。なお、第２係合爪部８４の幅方向大きさは、第１係合爪部８３の幅方向大きさより小さく形成されている。
【００６３】
一方、内側部材９０は、一方の面が開口した箱状に形成されており、側面９１には、外方に突出する係止突起部９２が形成されている。以上のように構成された外側部材８０の開口部に対して、内側部材９０を、開口部側から挿入して組み立てると、第１及び第２係合爪部８３，８４，８４及び係止突起部９２が外方に突出する。また、内側部材９０の面９３（第２面）には、たとえば「ロック」等の文字が刻設されている。この面９３を上側に向けるようにして、筐体側係合部６２のストッパ挿入空間６２ａに装着すると、前扉側係合部５２と筐体側係合部６２とを係合できる状態（ロック状態）となる。この場合、内側部材９０の面９３の「ロック」等の文字が透明な筐体側係合部６２を通して確認できる。さらに言えば、上述した筐体２の上板２ｂの穴２ｃからその「ロック」等の文字を筐体側係合部６２を通して確認できることになる。
【００６４】
次に、不正開放防止装置５０Ａによる作用について、図９及び図１０を参照しながら説明する。ここで、図９は図５の不正開放防止装置５０Ａのストッパ部材を用いて前扉側係合ブロック５０と筐体側係合ブロック６０とを係合保持する場合を示す要部拡大図、図１０は図５の不正開放防止装置５０Ａの前扉側係合ブロック５０と筐体側係合ブロック６０とを係合保持しない場合を示す要部拡大図である。
【００６５】
まず、前扉側係合ブロック５０と筐体側係合ブロック６０とをそれぞれ前扉３と筐体２との所定部位に取り付けておく。ここで、前扉３を筐体２に結合させるためには、４つ設けられている前扉側係合部５２及び筐体側係合部６２のいずれか１つがロック状態になるようにすればよい。
【００６６】
ここで、いずれかの前扉側係合部５２と筐体側係合部６２とをロック状態とするためには、図９に示すように、第１係合爪部８３及び第２係合爪部８４（図８参照）を下側に向けるようにしてストッパ部材７０をストッパ挿入空間６２ａに装着する。このとき、第１係合爪部８３の傾斜面８３ａ及び第２係合爪部８４の傾斜面が前扉側係合部５２側に向けられるようにしておく。
【００６７】
一方、ロック状態としない残りの筐体側係合部６２側にあっては、図１０に示すように、第１係合爪部８３及び第２係合爪部８４（図８参照）を上側に向けるようにしてストッパ部材７０をストッパ挿入空間６２ａに装着しておく。
【００６８】
なお、ストッパ部材７０が筐体側係合部６２のストッパ挿入空間６２ａ内に挿入されると、ストッパ部材７０の係止突起部９２が筐体側係合部６２のストッパ挿入空間６２ａを形成する内側の壁に押しつけられて弾性で付勢するため、この筐体側係合部６２の開口部が下方を向けられても、ストッパ部材７０は容易に脱落しないようになっている。
【００６９】
このような状態で、前扉３を筐体２側に閉じると、前扉側係合ブロック５０の各前扉側係合部５２と筐体側係合ブロック６０の各筐体側係合部６２との各々が嵌め合わされる。このとき、図９のようにストッパ部材７０がロック状態側にあるとき、まずストッパ部材７０の第１係合爪部８３が第１爪待避凹部５２ｆに位置し、第２係合爪部８４が第２爪待避凹部５２ｈ（図６参照）に位置し、この状態から、ストッパ部材７０の第１係合爪部８３の傾斜面８３ａが第１爪待避凹部５２ｆの左端側に形成された傾斜面５２ｋにより押し上げられながら左方に移動する。同様に、第２係合爪部８４も図６に示した第２爪待避凹部５２ｈの左端側に形成された傾斜面５２ｍにより上方に押し上げられながら左方に移動する。
【００７０】
このとき、第１及び第２係合爪部８３，８４が押し上げられる前に、図７に示した筐体側係合部６２に形成されている係合突起部６２ｂが、その左端部から図６に示した前扉側係合部５２の係合保持部５２ｅに挿入されるため、第１及び第２係止爪部８３，８４が押し上げられても係合保持部５２ｅ及び係合突起部６２ｂにより上方への移動が規制され、筐体側係合部６２が押し上げられることはない。
【００７１】
そして、前扉側係合部５２と筐体側係合部６２とが重なった位置になると、第１係合爪部８３と第１係合凹部５２ｃとの位置が一致し、また、図６に示した第２係合爪部８４，８４と第２係合凹部５２ｄ，５２ｄとの位置が一致し、押し上げられていた第１係合爪部８３及び第２係合爪部８４が弾性で第１係合凹部５２ｃ及び第２係合凹部５２ｄに入り込む。
【００７２】
これにより、第１及び第２係合凹部５２ｃ，５２ｄと第１及び第２係合爪部８３，８４とが係合し、さらに、係合突起部６２ｂと係合保持部５２ｅとが嵌合して、前扉側係合部５２と筐体側係合部６２とが係合する。この状態になると、前扉３を開放しようとしても、第１係合爪部８３の係合面８３ｂが第１係合凹部５２ｃと係合しており（第２係合爪部８４も同様）、その係合面８３ｂは第１係合凹部５２ｃの壁に沿って延びているため（第２係合爪部８４も同様）、第１及び第２係合爪部８３，８４が上方に押し上げられることはなく、また、係合突起部６２ｂと係合保持部５２ｅとが嵌合されているため前扉側係合部５２を筐体側係合部６２から引き離すことができず、第１及び第２係合凹部５２ｃ，５２ｄから第１及び第２係合爪部８３，８４が外れることはない。そのため、前扉側係合部５２と筐体側係合部６２とが固定され、前扉３を筐体２側に結合することができる。
【００７３】
一方、図１０に示すように、第１係合爪部８３及び第２係合爪部８４（図８参照）を上側に向けるようにしてストッパ部材７０を筐体側係合部６２のストッパ挿入空間６２ａに装着しておくと、第１係合爪部８３及び第２係合爪部８４による上述した係合が生じないため、ロック状態にない前扉側係合部５２と筐体側係合部６２とについてはそれぞれの係合が行われないことになる。
【００７４】
ここで、上述した筐体２の上板２ｂの穴２ｃからストッパ部材７０の内側部材９０の面９３の「ロック」等の文字を確認することで、前扉側係合部５２と筐体側係合部６２とが係合されていることを認識することができる。
【００７５】
この状態で、たとえば筐体２内部に上述した主制御基板４１を取り付けたスロットマシン１がたとえばホール等に搬送されることになる。そして、ホール等への搬送中あるいは搬送後等において、前扉３が不正に開けられる場合、筐体側係合部６２の連結部６３が切り離される。この場合、筐体側係合部６２の連結部６３が切り離されたことが痕跡として残るため、ホール等への搬送中あるいは搬送後等において、筐体２の上板２ｂの穴２ｃから筐体側係合部６２の連結部６３が切り離されているかどうかを確認することで、前扉３が不正に開けられたかどうかを容易に確認できる。
【００７６】
一方、筐体側係合部６２の連結部６３の確認により、前扉３が不正に開けられていないことが確認できた場合、たとえば各スロットマシン１をホール内の所定位置に設置した後、筐体２の上板２ｂの穴２ｃからニッパー等の切断具を差し込み、筐体側係合部６２の連結部６３を切り離すことで、前扉側係合部５２と筐体側係合部６２との係合を解除できる。
【００７７】
このように、本実施例では、前扉３側に第１係合手段としてのたとえば前扉側係合部５２を取り付け、筐体２側に第２係合手段としてのたとえば筐体側係合部６２を取り付け、前扉３の閉じる動作に応じて前扉側係合部５２と筐体側係合部６２とが係合され、その係合の確認と解除はたとえば筐体２側に形成された穴２ｃを介して行われるようにした。
【００７８】
この場合、たとえば筐体側係合部６２がたとえば筐体２側に形成された穴２ｃを介して切断されることで、前扉３の開放が可能となるが、その前扉３が不正に開放された場合は、たとえば筐体側係合部６２の切断が不正開放の痕跡として残される。これにより、たとえば筐体２内部に主制御基板４１を取り付けた状態のスロットマシン１の搬送中等に、前扉３が不正に開けられたことをその痕跡から容易に確認することができる。
【００７９】
具体的には、たとえば筐体側係合部６２に取付片５１に連結している切離部としての切断可能な連結部６３を設けているので、その連結部６３が不正に切り離された際、その切り離されたことの痕跡から前扉３が不正に開けられたことを容易に確認することができる。
【００８０】
また、前扉３が不正に開けられたことを確認することで、上述した主制御基板４１上の検査済みのＲＯＭが裏ＲＯＭ又は不正ＲＯＭと呼ばれるものに不正に差し替えられたり、不正な制御基板が収容された基板ケースである主制御基板ユニット４０が現在使用されている主制御基板ユニット４０と差し替えられたりしたことを併せて容易に確認することができる。
【００８１】
また、本実施例では、前扉側係合部５２と筐体側係合部６２との間に、係合を可能とする第１面と、係合を可能としない第２面とを有する係合手段としてのストッパ部材７０を介在させているので、ストッパ部材７０の第１面又は第２面の向きを変えることで、前扉側係合部５２と筐体側係合部６２との係合又は非係合のいずれかを選択することができる。
【００８２】
具体的には、前扉側係合部５２に少なくとも凹状に形成された係合凹部としての第１係合凹部５２ｃを設け、筐体側係合部６２に少なくともストッパ部材７０を挿入する挿入部としてのストッパ挿入空間６２ａを設け、ストッパ部材７０の第１面である底面８１に少なくとも外方に突出し第１係合凹部５２ｃに係合される係合爪部としての第１係合爪部８３を設けるようにしたので、ストッパ部材７０の底面８１が第１係合凹部５２ｃに対向するようにストッパ部材７０をストッパ挿入空間６２ａに挿入することにより、前扉側係合部５２と筐体側係合部６２とを係合させることができる。
【００８３】
この場合、ストッパ部材７０の第２面である面９３に、たとえば「ロック」等の文字が刻設されているため、この面９３が上側に向けられることになり、その「ロック」等の文字を透明な筐体側係合部６２及び筐体２の上板２ｂの穴２ｃを通して確認することで、前扉側係合部５２と筐体側係合部６２とが係合されていることを認識することができる。
【００８４】
一方、ストッパ部材７０の第２面である面９３には、第１係合凹部５２ｃに係合される第１係合爪部８３が設けられていないため、ストッパ部材７０の面９３が第１係合凹部５２ｃに対向するようにストッパ部材７０をストッパ挿入空間６２ａに挿入することにより、前扉側係合部５２と筐体側係合部６２とが係合されないようにすることができる。
【００８５】
また、本実施例では、前扉側係合部５２と筐体側係合部６２とをそれぞれたとえば４つとしたブロック体である前扉側係合ブロック５０と筐体側係合ブロック６０としているので、たとえば１つの前扉側係合部５２と筐体側係合部６２とがストッパ部材７０によって係合されていて、その係合を解除するとき、筐体側係合部６２の連結部６３を切り離すことになるが、再度、ストッパ部材７０による係合が必要となる場合は連結部６３が切り離されていない筐体側係合部６２とこの筐体側係合部６２に対応する前扉側係合部５２とが用いられることになり、前扉側係合部５２と筐体側係合部６２との係合及び係合解除を４回行うことができる。
【００８６】
なお、ストッパ部材７０においては、外側部材８０及び内側部材９０を、それぞれ異なる色の樹脂で形成してもよい（たとえば、外側部材８０を白色、内側部材９０を赤色）。この場合、筐体側係合部６２が透明の樹脂で成形されているため、ストッパ部材７０の挿入状態がロック状態（内側部材９０が上側にあり赤色が筐体側係合部６２を透して見える状態）であるか、上方を向いたアンロック状態（外側部材８０が上側にあり白色が筐体側係合部６２を透して見える状態）であるかを容易に識別することができる。
【００８７】
また、本実施例では、前扉側係合部５２側に前扉側番号表示部５２ｇを設け、筐体側係合部６２側に筐体側番号表示部６２ｃを設けているので、４つの前扉側係合部５２及び筐体側係合部６２のうち、何番目を使用しているか（若しくは、何番目のものが切断されているか）を目視により確認することができる。
【産業上の利用可能性】
【００８８】
スロットマシンに限らず、パチンコ機にあっても適用可能である。また、たとえばアーケードゲーム機等のように、前面側に開口を有する箱形の筐体と、筐体の前面側に開口を覆う閉止位置から開閉自在に取り付けられた前扉と、筐体の内部に設けられて各部の動作を集中制御するような制御基板とを備え、前扉が開口を覆う状態で制御基板が外部から隔離されているような遊技機にも適用可能である。
【図面の簡単な説明】
【００８９】
【図１】本発明の遊技機である回胴式遊技装置を示す斜視図である。
【図２】図１の回胴式遊技装置を示す平面図である。
【図３】図２の回胴式遊技装置の前扉及び筐体の一部を省いた場合の側面図である。
【図４】図３の回胴式遊技装置を示す正面図である。
【図５】図１の不正開放防止装置を示す斜視図である。
【図６】図５の不正開放防止装置の前扉側係合ブロックを示す図である。
【図７】図５の不正開放防止装置の筐体側係合ブロックを示す図である。
【図８】図５の不正開放防止装置のストッパ部材を示す斜視図である。
【図９】図１の不正開放防止装置による作用を説明するための図であり、不正開放防止装置のストッパ部材を用いて前扉側係合ブロックと筐体側係合ブロックとを係合保持する場合を示す要部拡大図である。
【図１０】図１の不正開放防止装置による作用を説明するための図であり、不正開放防止装置の前扉側係合ブロックと筐体側係合ブロックとを係合保持しない場合を示す要部拡大図である。
【符号の説明】
【００９０】
１  スロットマシン
２  筐体
２ｂ  上板
２ｃ  穴
３  前扉
３０  ホッパ装置
３２  主電源装置
４０  主制御基板ユニット
４１  主制御基板
５０  前扉側係合ブロック
５０Ａ  不正開放防止装置
５１  取付片
５１ａ  穴
５２  前扉側係合部
５２ａ  係合底部
５２ｂ  係合壁部
５２ｃ  第１係合凹部
５２ｄ  第２係合凹部
５２ｅ  係合保持部
５２ｆ  第１爪待避凹部
５２ｇ  前扉側番号表示部
５２ｈ  第２爪待避凹部
５２ｋ  傾斜面
５２ｍ  傾斜面
６０  筐体側係合ブロック
６１  取付片
６１ａ  穴
６２  筐体側係合部
６２ａ  ストッパ挿入空間
６２ｂ  係合突起部
６２ｃ  筐体側番号表示部
６２ｄ  フランジ部
６３  連結部
７０  ストッパ部材
８０  外側部材
８１  底面（第１面）
８３  第１係合爪部
８４  第２係合爪部
９０  内側部材
９２  係止突起部
９３  面（第２面）
１１０  回胴装置
【図１】
2008167909.tif 000003
【図２】
2008167909.tif 000004
【図３】
2008167909.tif 000005
【図４】
2008167909.tif 000006
【図５】
2008167909.tif 000007
【図６】
2008167909.tif 000008
【図７】
2008167909.tif 000009
【図８】
2008167909.tif 000010
【図９】
2008167909.tif 000011
【図１０】
2008167909.tif 000012